(57)【要約】【課題】  撮影画像と、撮影画像から生成された処理画像とが混在する画像の比較・参照を容易に行うことができる画像管理装置及び画像管理方法を提供する。【解決手段】属性判別部２０１による画像の属性の判別結果に基づき、画像分類部２０２が処理画像を、処理画像同士、或は、処理画像に関連する撮影画像に関連付けるように分類する。分類した画像リストを画像リスト表示部２０３により表示し、リストから選択された画像が画像表示部２０５に表示される。更に、画像分類切替部２１１による分類切替により、画像リスト表示部２０３に表示される画像リストを変更する。【選択図】  図２
2006048665.tif 000002
【特許請求の範囲】
【請求項１】
画像の属性情報に基づき、当該画像が、撮影画像を画像処理して生成された処理画像であるか撮影画像であるかを判断する属性判断手段と、
前記属性判断手段の判断結果による撮影画像であるか処理画像であるかに基づき、前記画像を分類する分類手段と、
前記分類手段で分類された分類結果に基づき、画像リストを表示する画像リスト表示手段と、
前記画像リスト表示手段により表示された画像リストから選択された画像を表示する画像表示手段と、
を有することを特徴とする画像管理装置。
【請求項２】
前記分類手段は、処理画像であると判断された画像を、当該画像に関連する撮影画像に対応付けて分類することを特徴とする請求項１に記載の画像管理装置。
【請求項３】
前記撮影画像の属性情報は検査の情報を含み、前記分類手段は、前記処理画像を前記撮影画像と同じ検査に分類することを特徴とする請求項２に記載の画像管理装置。
【請求項４】
前記分類手段は、処理画像であると判断された画像同士を関連付けて分類することを特徴とする請求項１に記載の画像管理装置。
【請求項５】
前記処理画像の属性情報は検査の情報を含み、前記分類手段は、複数の処理画像を同じ検査に分類することを特徴とする請求項４に記載の画像管理装置。
【請求項６】
画像の第１及び第２の分類態様から一の分類態様を指示する指示手段を更に有し、
前記分類手段は、前記指示手段による指示に基づき、前記第１の分類態様又は第２の分類態様により前記画像を分類し、
前記画像リスト表示手段は、前記第１の分類態様又は第２の分類態様により分類された結果に基づき画像リストを表示することを特徴とする請求項１に記載の画像管理装置。
【請求項７】
前記第１の分類態様又は第２の分類態様による画像の分類の切り替えを指示する切り替え指示手段を更に有し、
前記分類手段は、前記切り替え指示手段の指示に基づき、画像を分類することを特徴とする請求項６に記載の画像管理装置。
【請求項８】
前記処理画像は、同一被写体を異なる時点でそれぞれ撮影した複数の撮影画像間で差分処理を行った画像であることを特徴とする請求項１に記載の画像管理装置。
【請求項９】
前記処理画像は、同一被写体の異なる部分を撮影した複数の撮影画像をつなぎ合わせる画像処理を行った画像であることを特徴とする請求項１に記載の画像管理装置。
【請求項１０】
前記属性判断手段は、前記画像の属性情報に含まれているクラス属性がセカンダリキャプチャクラスであるか否かにより、前記処理画像であるか否かを判断することを特徴とする請求項１に記載の画像管理装置。
【請求項１１】
画像の属性情報に基づき、当該画像が、撮影画像を画像処理して生成された処理画像であるか撮影画像であるかを判断する属性判断ステップと、
前記属性判断ステップにおける判断結果である撮影画像であるか撮影画像であるかに基づき、前記画像を分類する分類ステップと、
前記分類ステップにおいて分類された分類結果に基づき、画像リストを表示する画像リスト表示ステップと、
前記画像リスト表示ステップにおいて表示された画像リストから選択された画像を表示する画像表示ステップと、
を有することを特徴とする画像管理方法。
【請求項１２】
前記分類ステップにおいて、処理画像であると判断された画像を、当該画像に関連する撮影画像に対応付けて分類することを特徴とする請求項１１に記載の画像管理方法。
【請求項１３】
前記分類ステップにおいて、処理画像であると判断された画像同士を関連付けて分類することを特徴とする請求項１１に記載の画像管理方法。
【請求項１４】
画像の第１及び第２の分類態様から一の分類態様を指示する指示ステップを更に有し、
前記分類ステップにおいて、前記指示ステップにおける指示に基づき、前記第１の分類態様又は第２の分類態様により前記画像を分類し、
前記画像リスト表示ステップにおいて、前記第１の分類態様又は第２の分類態様により分類された結果に基づき画像リストを表示することを特徴とする請求項１１に記載の画像管理方法。
【請求項１５】
前記第１の分類態様又は第２の分類態様による画像の分類の切り替えを指示する切り替え指示ステップを更に有し、
前記分類ステップにおいて、前記切り替え指示ステップにおける指示に基づき、画像を分類することを特徴とする請求項１４に記載の画像管理方法。
【請求項１６】
コンピュータに、請求項１１乃至請求項１５のいずれか１項に記載の画像管理方法を実現させることを特徴とするプログラム。
【請求項１７】
請求項１６に記載したプログラムを記録したことを特徴とするコンピュータ読み取り可能な記録媒体。
【発明の詳細な説明】
【技術分野】
【０００１】
本発明は、画像管理装置及び画像管理方法に関し、特に、医用画像として撮影された撮影画像と撮影画像から作成された処理画像を管理する画像管理装置及び画像管理方法に関する。
【背景技術】
【０００２】
従来、医療の分野においては、Ｘ線などの放射線を利用した、Ｘ線撮影装置、ＣＴ（Computed Tomography）装置、ＭＲＩ（Magnetic Resonance Imaging）装置、ＣＲ（Computed Radiography）等の各種モダリティが診断のために用いられている。
【０００３】
これらのデジタル画像は、一般にＤＩＣＯＭ（Digital and Communication in Medicine）と呼ばれる規格に準拠したフォーマットで保存されている。このフォーマットは、階層構造になっており、一番上の階層には検査のレイヤがあり、検査の下にシリーズのレイヤがあり、シリーズの下にイメージのレイヤがある。
【０００４】
これらのレイヤは、撮影を基本に考えられているため、検査が最も上位のレイヤになっている。そのため、データベースからＤＩＣＯＭ画像を検索して一覧として表示する場合には、最も上位のレイヤである検査のリストが表示されるのが一般的である。
【０００５】
また、各々のデジタル画像はモダリティによってクラスに分類されており、例えば、ＣＴ画像はＣＴクラス、ＣＲ画像はＣＲクラスといったように分類されている。より具体的には、例えばＣＴクラスであればＣＴクラスを表すＩＤが画像ヘッダに記載されている。
【０００６】
一方、デジタル画像を画像処理することにより新たなデジタル画像を作成することができる。このような新たに作成された画像はＳＣ（セカンダリキャプチャ）というクラスに分類されている。
【０００７】
一方、医療診断を目的とするＸ線撮影では、増感紙とＸ線写真フィルムとを組み合わせたフィルムスクリーンシステムが用いられていた。このシステムを用いた撮影方法では、被写体を通過したＸ線は、被写体の内部情報を含み、それが増感紙によってＸ線の強度に比例した可視光に変換され、Ｘ線写真フィルムを感光させ、Ｘ線画像をフィルム上に形成する。
【０００８】
従来、このようなフィルムにより診断を行う場合には、病気の進行や治癒の進み具合を判断するために経時的に間隔のある２つの画像をシャーカステンなどに並べて両者を比較することにより行っていた。
【０００９】
一方、整形外科などの分野では、一回の撮影で収まりきらないような大きな被写体を撮影するために、複数回のＸ線撮影を行い、複数フィルムを繋ぎ合わせることで診断や計測を行っていた。
【００１０】
例えば、脊椎側湾症などは脊椎の全景を撮影する必要があるが被写体が撮影装置の大きさよりも大きい場合があり、一回の撮影では撮影しきれない場合などがある。この場合は、２回に分割して撮影を行い、作成された２枚のＸ線フィルムを物理的に接着テープなどで張り合わせることにより、症状を判断するために利用していた。
【００１１】
一方、最近では、輝尽性蛍光体にＸ線強度分布をエネルギーとして潜像化し読み出す方式や、Ｘ線による蛍光体の蛍光分布を直接画像として読み出す方式、蛍光分布を用いない技術等のさまざまな方式により放射線画像を電気信号として読み出し、デジタル変換することによりデジタル画像を構成するＸ線デジタル撮影装置が使用され始めている。
【００１２】
これにより、撮影した画像はデジタルデータとして取り込むことができるため、経時的に間隔のあるデジタルデータ同士を画像処理により差分を取ることができるようになってきている。これにより、従来、２つの画像をシャーカステンなどに並べお互いを比較することで人間の頭の中で病気の進行状況や治癒状況について判断していた。
【００１３】
近年、前述の通りＸ線デジタル撮影ができるようになっており、画像データをデジタルデータとして取得できるため、参照画像として２枚のＸ線画像の差分をとり差分画像としてモニタなどに表示することで、前述のように病変部の進行状況や治癒状況を過去画像との比較により変化を判断せずとも、デジタル画像処理により差分画像を参照することで、明確に治癒が進んでいる、もしくは病気が進行していることが示される。従って、差分画像を提示することは医師の判断をサポートするための非常に有効な手段である。
【００１４】
一方、整形外科などの分野も同様に、画像データをデジタルデータで扱うことができるようになったため、これまで接着テープなどで物理的に張り合わせることにより２枚の画像を繋ぎ合わせていたものが、デジタル画像処理で繋ぎ合わせることにで、より容易且つ正確に２枚の画像を繋ぎ合わせて診断できるようになってきている。これによって、従来、２枚のフィルムを物理的に張り合わせて計測していたものなどは、モニタ上で瞬時に計測することができるようになっており、医師の作業負担を軽減する有効な手段となっている。
【００１５】
ここで、過去に処理した画像を表示する方法の従来例として、画像処理の履歴を保存する方法がある（例えば、特許文献１）。
【００１６】
また、画像データの保存場所を示す情報を含む付帯情報を作成する方法もある（例えば、特許文献２）。
【００１７】
また、医用イメージングの経時的変化を検出するために時間的サブトラクションをアプリケーション・サービス・プロバイダとして実現するための圧縮／レジストレーション併用技法も開示されている（例えば、特許文献３）。
【００１８】
更に、画像間演算が行われているか否かの情報、画像間演算が行われているならば、その基になった画像を特定するための情報等の履歴情報を各画像に付帯させることにより、検索等を容易にする画像表示装置も開示されている（例えば、特許文献４）。
【００１９】
【特許文献１】特開２００３−２８４６９１号公報
【特許文献２】特開２００３−１９６３００号公報
【特許文献３】特開２００３−１２６０４６号公報
【特許文献４】特開２００１−２１８１１０号公報
【発明の開示】
【発明が解決しようとする課題】
【００２０】
しかしながら、いずれの従来技術においても複数のクラスの画像を検査日順で表示しようとすると、複数のクラスの画像が混在して表示され診断上思考が妨げられ非常に煩わしいものとなってしまう。この問題を回避するために、複数のクラスが同時に表示されないように、クラス毎に分類して表示しようとすると、逆に他のクラスの画像を参照できなくなってしまうという問題がある。
【００２１】
本願発明は、様々なモダリティクラスの画像の関連付けを変更することで、撮影されたモダリティクラスの画像と、撮影画像から生成されたセカンダリキャプチャクラスの画像の比較・参照を容易に行うことができる画像管理装置及び画像管理方法を提供することを目的とする。
【課題を解決するための手段】
【００２２】
本願発明者は、前記課題を解決すべく鋭意検討を重ねた結果、以下に示す発明の諸態様に想到した。
【００２３】
本願発明の画像管理装置は、画像の属性情報に基づき、当該画像が、撮影画像を画像処理して生成された処理画像であるか撮影画像であるかを判断する属性判断手段と、前記属性判断手段の判断結果による撮影画像であるか処理画像であるかに基づき、前記画像を分類する分類手段と、前記分類手段で分類された分類結果に基づき、画像リストを表示する画像リスト表示手段と、前記画像リスト表示手段により表示された画像リストから選択された画像を表示する画像表示手段と、を有することを特徴とする。
【００２４】
また、本願発明の画像管理方法は、画像の属性情報に基づき、当該画像が、撮影画像を画像処理して生成された処理画像であるか撮影画像であるかを判断する属性判断ステップと、前記属性判断ステップにおける判断結果である撮影画像であるか撮影画像であるかに基づき、前記画像を分類する分類ステップと、前記分類ステップにおいて分類された分類結果に基づき、画像リストを表示する画像リスト表示ステップと、前記画像リスト表示ステップにおいて表示された画像リストから選択された画像を表示する画像表示ステップと、を有することを特徴とする。
【発明の効果】
【００２５】
本発明によれば、画像が処理画像であるか撮影画像であるかに基づき、画像を分類し、この分類結果に基づいて画像リストを表示することにより、画像の参照を容易に行うことができる。
【発明を実施するための最良の形態】
【００２６】
以下、本発明の実施形態について添付の図面を参照して具体的に説明する。
【００２７】
（第１の実施形態）
先ず、本発明の第１の実施形態について説明する。図１は、本発明の実施の形態に係る画像管理装置の構成を示す図である。
【００２８】
この画像管理装置においては、患者情報及び画像データを保存している画像保存装置１０５と画像表示装置１０３とがネットワーク１０４により相互に接続されている。画像保存装置１０５には、患者情報等の属性情報を格納しているデータベース１０１、及び、データベース１０１に格納された属性情報と関連付けられて画像データが保存されている記憶媒体１０２が設けられている。
【００２９】
また、画像保存装置１０５には、図示しないＣＰＵ、ＲＯＭ等の一般的なコンピュータの構成要素が設けられており、画像保存装置１０５全体の動作をＣＰＵが制御するためのプログラムがＲＯＭに格納されている。
【００３０】
同様に、画像表示装置１０３には、図示しないＣＰＵ、ＲＯＭ等の一般的なコンピュータの構成要素が設けられており、画像表示装置１０３全体の動作をＣＰＵが制御するためのプログラムがＲＯＭに格納されている。
【００３１】
なお、本実施形態では、画像保存装置１０５と画像表示装置１０３とを別体のコンピュータとしているが、これらが一体化されていてもよい。
【００３２】
図２は、本発明の実施の形態に係る画像管理装置の機能を示す機能ブロック図である。
【００３３】
この画像管理装置においては、図２に示すような各部が、画像表示装置１０３、及び、画像保存装置１０５内のＲＯＭに格納されたプログラム等をＣＰＵが実行することにより構成される。
【００３４】
即ち、画像管理装置には、画像属性を判別する属性判別部２０１と、属性判別部２０１による判別の結果に基づき画像を分類する画像分類部２０２と、画像分類部２０２による分類の結果に基づき画像リストを表示する画像リスト表示部２０３と、画像リスト表示部２０３により表示された画像リストから選択された画像を読み込む画像読込部２０４と、画像読込部２０４により読み込まれた画像を表示する画像表示部２０５と、が設けられている。
【００３５】
更に、画像表示部２０５に表示された画像から画像を作成する指示を与える画像作成指示部２０６と、画像読込部２０４により読み込まれた画像から新たに画像を作成する画像作成部２０８と、画像作成部２０８により作成された画像を保存する画像保存部２０９と、画像保存部２０９により保存された画像を登録する画像登録部２１０と、画像分類部２０２による分類の方法を切り替える画像分類切替部２１１と、画像表示部２０５に表示された画像の並び順を切り替える画像表示切替部２１２と、が設けられている。
【００３６】
画像読込部２０４は、画像作成指示部２０６により指示された画像が読み込まれていなければ、その画像を読み込むという動作も行う。
【００３７】
次に、上述のように構成された画像管理装置の動作について説明する。図３−１及び図３−２は、本発明の実施形態に係る画像管理装置の処理動作を示すフローチャートである。
【００３８】
先ず、画像表示装置１０３の入力装置（不図示）等からユーザの操作に基づき、検索条件が入力される（ステップＳ３０１）。検索条件の項目としては、例えば、検査日、患者ＩＤ、患者名、クラス属性、性別、生年月日等が挙げられる。
【００３９】
次に、入力された検索条件に従って、データベース１０１を検索する（ステップＳ３０２）。
【００４０】
次いで、属性判別部２０１が、ステップＳ３０２において検索された画像にセカンダリキャプチャ画像があるか判別を行う（ステップＳ３０３）。
【００４１】
ステップＳ３０３における判別方法には２種類の方法が有る。１つは検索された画像にセカンダリキャプチャクラスの画像があるか否かを判別するというものであり、もう１つは検索された画像に関連するセカンダリキャプチャクラスの画像がＤＢに登録されているか否かを判別するというものである。ステップＳ３０３において、２つの判別方法のうちどちらの判別方法を用いるか、あるいは両方の判別を行うか、またはどちらの判別方法も用いないかはユーザの設定による。
【００４２】
ステップＳ３０３で「ある」と判別された場合、画像分類部２０２が画像分類を実行する（ステップＳ３０４）。通常同一患者の画像は同一のグループとして分類する。さらに、ステップＳ３０２における検索結果及び検索された画像に関連するセカンダリキャプチャクラスの画像の分類を行う。
【００４３】
この分類方法は、次の通りである。１つはセカンダリキャプチャクラスの画像を作成したときの元の画像に関連付けて分類する方法、１つはセカンダリキャプチャクラスの画像をまとめて１つに分類する方法、あるいは、セカンダリキャプチャクラスの画像はいずれにも関連付けずに独立して扱う方法である。
【００４４】
ここで、検索の具体例について図４を用いて説明する。図４において、データベース１０１には、属性情報４０１〜４０５の情報が格納され、記録媒体１０２には、それぞれの属性情報４０１〜４０５に対応した画像データが保存されているものとする。なお、以下においては、属性情報Ａに対応する画像データを、単に、画像Ａと記載する。
【００４５】
例えば、「患者ＩＤが００１番」かつ「検査日が１９９９年０１月０１日から２００１年１２月３１日まで」という検索条件で画像を検索した場合、図４に示す例では画像４０１、画像４０２、画像４０３、画像４０５が検索される。
【００４６】
検索された画像の中にセカンダリキャプチャクラスの画像４０５が含まれている（ＳＣはセカンダリキャプチャクラスを示す）。この例では画像４０５は、画像４０１と画像４０３から生成されたものとしている。そして、その後に画像分類が実行される。画像分類の詳細については、後述する。
【００４７】
一方、異なる検索条件の例として、例えば、「患者ＩＤが００１番」かつ「ＣＲクラスの画像」を検索した場合、図４に示す例では画像４０１、画像４０２、画像４０３、画像４０４が検索される。
【００４８】
検索された画像の中にセカンダリキャプチャクラスの画像（図４の例では、画像４０５）は存在しないが、画像４０１及び画像４０３に関連するセカンダリキャプチャクラスの画像４０５がＤＢに登録されている。従って、画像４０１、画像４０２、画像４０３、画像４０４、画像４０５についての画像分類が行われる。画像分類の詳細は後述する。
【００４９】
ここで、画像分類の詳細を説明する前に、ＤＩＣＯＭフォーマットについて簡単に説明する。図５は、ＤＩＣＯＭ規格で規定する画像属性の階層構造を示す図である。
【００５０】
この階層構造は３つのレイヤから構成され、一番上の階層に検査のレイヤ５０１がある。検査のレイヤ５０１の下にシリーズのレイヤ５０２〜５０４があり、検査のレイヤ５０１は１以上のシリーズのレイヤを持つことができる。シリーズのレイヤ５０２〜５０４の下に、夫々画像のレイヤ５０５〜５０７があり、各シリーズのレイヤ５０２〜５０４は１以上の画像のレイヤを持つことができる。ここで、患者情報を特定する情報は、例えば検査のレイヤ５０１に保存される属性情報である。
【００５１】
また、セカンダリキャプチャクラスの画像が生成される例として、１つは経時的に間隔の開いた異なる検査に属する画像同士の差分をとることで得られる経時差分画像、１つは同一検査内の２枚以上の画像を繋ぎ合わせて１画像として新たに生成したデジタル画像、１つは撮影された画像に対して階調補正を行うなど画像処理を施した結果の画像を新たな画像データとして保存した画像、１つは医療用のフィルムスキャナーなどでフィルムの医用画像をスキャンして得られるデジタル画像などが挙げられる。これらは公知の技術を用いて生成されるため、詳細については省略する。
【００５２】
次に、画像の分類方法について、セカンダリキャプチャクラスとして経時差分画像が生成された場合を例にとって説明する。
【００５３】
例えば、図６に示すようにＣＲクラスの画像６０１及び画像６０２の撮影が行われた後に、画像６０１と画像６０２の経時差分画像を作成しセカンダリキャプチャクラスの画像６０３が生成される。その後、さらにＣＲクラスの画像６０４の撮影が行われ、画像６０４と画像６０１、画像６０４と画像６０２の経時差分画像を作成した場合、セカンダリキャプチャクラスの画像６０５及び画像６０６が生成される。
【００５４】
ここで、本実施形態では画像６０５と画像６０６は同じ検査に属する画像として作成しているが、これに限定するものではなく異なる検査として別々に作成しても良い。
【００５５】
これらの画像について、画像の分類を行う場合について説明する。
【００５６】
セカンダリキャプチャクラスの画像を生成した元画像に関連付けて分類する方法で分類する場合は、図６に示すように作成された画像は、図８に示すように分類される。
【００５７】
画像６０３は画像６０１と画像６０２から生成された画像であるため、画像生成元となっている画像６０１と同じ検査として分類する。同様に画像６０５及び画像６０６も、画像生成元となった画像６０１、６０２が属する検査の画像として分類する。
【００５８】
セカンダリキャプチャクラスの画像をまとめて１つに分類する方法で分類する場合は、図６に示すように作成された画像は図１０に示すように分類される。
【００５９】
画像６０３、画像６０５、画像６０６はセカンダリキャプチャクラスの画像なので１つの検査としてまとめる。
【００６０】
なお、セカンダリキャプチャクラスの検査の中で、画像６０３を１つのシリーズとし、画像６０５と画像６０６とを１つのシリーズに分類しても良い。
【００６１】
上述のようにして画像分類部２０２が画像の分類を行った後、画像リスト表示部２０３が、ステップＳ３０４で分類された画像情報を画像リストとして表示する（ステップＳ３０５）。
【００６２】
例えば、図６に示す画像に対して、ステップＳ３０４のクラス属性による分類を行わずに検査日時順で表示した場合は、図７に示すよう画像リストが表示される。クラス属性により分類が行われていないため、画像リスト７０６にはＣＲクラスの画像とセカンダリキャプチャクラスの画像が、検査日順に混在して表示される。
【００６３】
ここで、項目７０１は画像６０１、項目７０２は画像６０２、項目７０４は画像６０４を示している。また、項目７０３は画像６０１と画像６０２から生成されたセカンダリキャプチャクラスの画像７０３、項目７０５は画像６０４と画像６０１及び画像６０２から生成されたセカンダリキャプチャクラスの画像６０５及び画像６０６を示している。この表示例では、画像６０５及び画像６０６は一つの検査としてまとめているため、リスト上にも１つの項目として表示されている。
【００６４】
一方、ステップＳ３０４において、セカンダリキャプチャクラスの画像を生成した画像に関連付けて分類した場合は、図６に示す画像は図８に示すように分類されている。
【００６５】
このように分類された画像をリスト表示した結果は図９の９０４ようにリスト表示される。項目９０１は１つの検査として１行で表示されているが画像としては画像６０１と画像６０３と画像６０５が分類されている。項目９０２は画像６０２と画像６０６が分類され、項目９０３は画像６０４が分類されている。
【００６６】
なお、セカンダリキャプチャ画像を生成した画像の検査日時の古い検査側にセカンダリキャプチャ画像を関連付けているが、新しい検査に関連付けても良い。
【００６７】
一方、セカンダリキャプチャクラスの画像をまとめて１つに分類した場合は、図６に示す画像は図１０に示すように分類されている。このように分類された画像をリスト表示した結果は図１１の１１０５のようにリスト表示される。項目１１０１はセカンダリキャプチャクラスの画像を１つにまとめたものである。即ち、項目１１０１は画像６０３と画像６０５、画像６０６が分類されている。
【００６８】
なお、ここでは検査日順のリスト表示であり、セカンダリキャプチャクラスに分類された検査であるためリストの最後に表示しているが、検査日の通りに表示しても良い。
【００６９】
次いで、画像表示を行うか、画像分類の変更を行うかを判断する（ステップＳ３０６）。この判断は、ユーザが画像表示指示又は画像分類の切り替え指示を入力デバイスを用いて入力したか否かを判断する。
【００７０】
ユーザにより画像分類の切り替えが指示された場合は、画像分類切替部２１１が画像分類の切り替えを行う（ステップＳ３２７）。画像分類の切り替えは、ステップＳ３０４で分類した画像の分類方法を変更するものである。即ち、セカンダリキャプチャクラスの画像を生成した画像に関連付けて分類するか、セカンダリキャプチャクラスの画像を１つにまとめて分類するか、セカンダリキャプチャクラスの画像を関連付けずに扱うかを切り替えるものである。
【００７１】
例えば、図６に示すような画像がある場合に、セカンダリキャプチャクラスの画像と関連付けを行わなければ、セカンダリキャプチャクラスの画像は独立した検査として扱われるため図７に示すような分類となる。また、セカンダリキャプチャクラスの画像を生成した元画像に関連付けて分類する場合は、図８に示すように分類が行われ、リスト表示を行うと図９のように表示される。
【００７２】
また、セカンダリキャプチャクラスの画像をまとめて１つに分類する場合は、図１０に示すように分類が行われ、リスト表示を行うと図１１のように表示される。
【００７３】
ユーザにより画像表示が指示された場合は、ステップＳ３０７で画像表示部２０５が画像の表示を行う。
【００７４】
例えば、図６に示す画像に対し、セカンダリキャプチャクラスの画像と関連付けを行わなければ、図１２に示すように撮影画像とセカンダリキャプチャ画像が混在して表示される。
【００７５】
この例では画像表示装置１０３に左上から右上、左下から右下の順に画像を表示する場合の例で、検査日時の新しいものから古いものの順番で表示しているが、これに限定するものではない。
【００７６】
また、図６に示す画像に対し、セカンダリキャプチャクラスの画像を生成した画像に関連付けて分類されていれば、図１３に示すように表示される。
【００７７】
ここで、画像６０２には関連付けられたセカンダリキャプチャクラスの画像６０６があり、画像６０１には同じく関連付けられたセカンダリキャプチャクラスの画像６０３及び画像６０５がある。
【００７８】
これらの関連付けられた画像は説明するためにＣＲ画像の後ろに隠れたように図示しているが、通常は表示されておらず、ユーザがセカンダリキャプチャ画像を表示するように入力デバイス等を用いて指示を与えた場合に、ＣＲクラスの画像と入れ替えて表示される。詳細は後述する。
【００７９】
また、図６に示す画像に対し、セカンダリキャプチャクラスの画像を１つにまとめて分類されていれば、図１４に示すように表示される。
【００８０】
ここで、画像６０３、画像６０５、画像６０６はセカンダリキャプチャクラスの画像を１つにまとめたものである。この例では、セカンダリキャプチャ画像の中で画像６０６が最上位に表示されているが、これに限定するものではない。
【００８１】
次に、表示切替を行うか否かを判断する（ステップＳ３０８）。ここでは、特にセカンダリキャプチャクラスの画像を生成した画像に関連付けて分類され、図１３に示すような表示形態で表示されている場合に、表示切替が行われる。
【００８２】
図１３に示すような表示が行われている状態で、セカンダリキャプチャ画像を表示するように、ユーザがマウスやキーボード、ポインティングデバイス等を用いて指示を与えると、画像表示切替部２１２が、セカンダリキャプチャ画像を表示するように、画像読込部２０４及び画像表示部２０５を制御する（ステップＳ３２５）。
【００８３】
表示を切り替えた結果の例が図１５である。ここでは画像６０６が画像６０２に切り替わって表示され、画像６０３が画像６０５に切り替わって表示されている。
【００８４】
ステップＳ３０８において表示切替が行われないと判断した場合、画像作成指示があるか否かを判断する（ステップＳ３０９）。
【００８５】
画像作成指示がなければ、そのままユーザの操作の待機状態となり（ステップＳ３２６）、画像作成指示があれば、画像作成指示部２０６が画像処理のためのパラメータを画像読込部２０４に転送する（ステップＳ３１０）。
【００８６】
作成する画像は、例えば経時差分画像や２枚以上の画像を繋ぎ合わせて１画像として新たに生成する画像などがある。これらの画像を生成するために必要な情報、例えば２つの画像のファイル名や画像処理パラメータ等を転送する。
【００８７】
次いで、画像読込部２０４が、転送されたパラメータによって指定された画像データを画像処理のために、メモリ上又は記憶領域上に読み込む（ステップＳ３１１）。
【００８８】
その後、画像作成部２０８が画像処理を行う（ステップＳ３１２）。
【００８９】
続いて、画像作成部２０８が画像属性を作成する（ステップＳ３１３）。ステップＳ３１２で同一患者の画像を用いて作成している場合には、新たに作成されるセカンダリキャプチャ画像の属性として、例えば、患者名等の不変の画像属性はそのまま利用することができる。
【００９０】
また、セカンダリキャプチャ画像に固有の情報として、モダリティがセカンダリキャプチャを表すＳＣであること、及び、セカンダリキャプチャ画像を生成した画像処理による分類が可能な情報を装置タイプ属性に書き込む。更に、セカンダリキャプチャ画像を生成する元となった画像のファイル名を識別できる情報として、画像のファイル名等を属性情報として登録する。
【００９１】
次に、画像表示部２０５が、画像作成部２０８がステップＳ３１２及びＳ３１３において作成した画像を表示する（ステップＳ３１４）。
【００９２】
次いで、画像保存部２０９が、画像作成部２０８がステップＳ３１２及びＳ３１３において作成した画像のデータを記憶媒体１０２に保存する（ステップＳ３１５）。
【００９３】
そして、ステップＳ３１５で保存したセカンダリキャプチャ画像情報をデータベース１０１に登録する（ステップＳ３１６）。データベース１０１に登録する際には、後に画像を表示するときに利用する属性情報として、セカンダリキャプチャ画像の装置タイプ及び生成元となった画像を特定する情報等をデータベース１０１に保存する。
【００９４】
このような実施形態に係る画像管理装置によれば、セカンダリキャプチャ画像の作成時に、画像を作成する元になった画像を特定する情報を入力しておくことにより、後にそれらの画像を表示する際、撮影画像とセカンダリ画像を関連付けて表示することができる。
【００９５】
このため、撮影画像とセカンダリキャプチャ画像とが乱雑に混在した状態となることを防止しながら、これらを整然と表示することができる。また、セカンダリキャプチャに複数の種類が存在しても、それらを種類ごとに分けて扱うことにより、異なる種類のセカンダリキャプチャ画像が存在しているが故に画像の読影が妨げられるという不具合を回避することができる。
【００９６】
更に、画像分類方法や表示モードを切り替えることができるため、セカンダリキャプチャ同士を比較したり、撮影画像とセカンリキャプチャ画像とを切り替えて表示したりすることが可能である。従って、医師の診断効率及び制度の向上に貢献できる。
【００９７】
なお、上述の実施形態では、画像処理を画像保存装置１０５側で行うこととしているが、画像表示装置１０３にＣＰＵ及びＲＯＭ等を設けておき、画像表示装置１０３側で行うようにしてもよい。
【００９８】
この場合、図３−１に示す処理は、上述の実施形態と同様であるが、図３−２に示す処理が省略され、画像表示装置１０３側で図１９に示す処理を行う。但し、図２に示す機能ブロックは、上述の実施形態と同様のものを用いることとする。
【００９９】
画像表示装置１０３側で行う場合、画像作成指示があれば（ステップＳ３０９）、画像読込部２０４が、画像データを画像処理のために、画像表示装置１０３に設けられたメモリ上又は記憶領域上に読み込む（ステップＳ３１７）。但し、既にステップ３０７において画像表示のために画像データを読み込んでいる場合には、ステップＳ３１７を省略してもよい。
【０１００】
その後、画像作成部２０８が画像処理を行う（ステップＳ３１８）。
【０１０１】
続いて、画像作成部２０８が画像属性を作成する（ステップＳ３１９）。
【０１０２】
次に、画像表示部２０５が、画像作成部２０８がステップＳ３１８及びＳ３１９において作成した画像を表示する（ステップＳ３２０）。次いで、作成された画像のデータが画像表示装置１０３から画像保存装置１０５に転送され（ステップＳ３２１）、画像保存装置１０５に受信される（ステップＳ３２２）。転送方法としては、例えばＤＩＣＯＭ規格で定める転送プロトコルを用いた転送方法が挙げられ、また、公知の一般的な方法を用いて転送してもよい。
【０１０３】
次いで、画像保存部２０９が、画像作成部２０８がステップＳ３１８及びＳ３１９において作成した画像のデータを、記憶媒体１０２に保存する（ステップＳ３２３）。そして、ステップＳ３２３で保存したセカンダリキャプチャ画像情報をデータベース１０１に登録する（ステップＳ３２４）。
【０１０４】
なお、最新の検査については、セカンダリキャプチャ画像を表示させる旨の指示を受けても、セカンダリキャプチャ画像の表示を省略してもよい。また、セカンダリキャプチャ画像を表示させる旨の指示を受けても、セカンダリキャプチャ画像を含まない検査については、当該検査の表示を省略してもよい。
【０１０５】
（第２の実施形態）
次に、本発明の第２の実施形態について説明する。第１の実施形態は主にセカンダリキャプチャクラスの画像は経時差分画像のような、異なる検査の画像から生成された例である。第２の実施形態では、同一検査内の２枚以上の画像を繋ぎ合わせて１画像として新たに生成したデジタル画像の場合である。
【０１０６】
例えば、図１６に示すように、ＣＲクラスの画像１６０１及びＣＲクラスの画像１６０２を繋ぎ合わせることにより、新たにセカンダリキャプチャクラスの画像１６０３を生成した場合、図１７に示すように、セカンダリキャプチャクラスの画像は生成元となったクラスの画像に分類される。
【０１０７】
一方、Ｓ３０８の表示切替が行われた場合は、図１８に示すように、セカンダリキャプチャ画像１６０３及び画像１６０６が表示される。
【０１０８】
（第３の実施形態）
次に、本発明の第３の実施形態について説明する。第３の実施形態においては、Ｓ３０８の表示切替ステップが画像分類に関する切り替え指示を与えることができ、画像表示切替部２１２において画像分類切り替えを行い、画像を表示する構成となる。
【０１０９】
なお、本発明の実施形態は、例えばコンピュータがプログラムを実行することによって実現することができる。また、プログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記のプログラムも本発明の実施形態として適用することができる。上記のプログラム、記録媒体、伝送媒体及びプログラムプロダクトは、本発明の範疇に含まれる。
【図面の簡単な説明】
【０１１０】
【図１】本発明の一実施の形態に係る画像管理装置の構成を示す図である。
【図２】本発明の一実施の形態に係る画像管理装置の機能を示す機能ブロック図である。
【図３−１】本発明の一実施の形態に係る画像管理装置の処理動作を示すフローチャートである。
【図３−２】図３−１に引き続き、本発明の一実施の形態に係る画像管理装置の処理動作を示すフローチャートである。
【図４】ＣＲクラスの画像とセカンダリキャプチャクラスの画像の関係を示す図である。
【図５】ＤＩＣＯＭ規格で規定する画像属性の階層構造を示す図である。
【図６】生成された画像の関連を示す概念図である。
【図７】図６に示す画像を画像リストとして表示画面に表示した例を示す図である。
【図８】図６に示す画像を、分類したときの概念図である。
【図９】図８に示す画像を画像リストとして表示画面に表示した例を示す図である。
【図１０】図６に示す画像を、分類したときの概念図である。
【図１１】図１０に示す画像を画像リストとして表示画面に表示した例を示す図である。
【図１２】図６に示す画像を表示画面に表示した例を示す図である。
【図１３】図８に示す画像を表示画面に表示した例を示す図である。
【図１４】図１０に示す画像を表示画面に表示した例を示す図である。
【図１５】図１３に示した画像の表示を、セカンダリキャプチャ画像を表示する旨の指示があったときの表示を示す図である。
【図１６】セカンダリキャプチャ画像が同一の検査内の１以上の画像から作成された場合を示す概念図である。
【図１７】図１６に示す画像を表示画面に表示した例を示す図である。
【図１８】図１７に示す画像の表示を、セカンダリキャプチャ画像を表示する旨の指示があったときの表示を示す図である。
【図１９】画像処理が画像表示装置１０３側で行われる場合の処理動作を示すフローチャートである。
【符号の説明】
【０１１１】
１０１：データベース
１０２：記憶媒体
１０３：画像表示装置
１０４：ネットワーク
１０５：画像保存装置
２０１：属性判別部
２０２：画像分類部
２０３：画像リスト表示部
２０４：画像読込部
２０５：画像表示部
２０６：画像作成指示部
２０８：画像作成部
２０９：画像保存部
２１０：画像登録部
２１１：画像分類切替部
２１２：画像表示切替部
【図１】
2006048665.tif 000003
【図２】
2006048665.tif 000004
【図３−１】
2006048665.tif 000005
【図３−２】
2006048665.tif 000006
【図４】
2006048665.tif 000007
【図５】
2006048665.tif 000008
【図６】
2006048665.tif 000009
【図７】
2006048665.tif 000010
【図８】
2006048665.tif 000011
【図９】
2006048665.tif 000012
【図１０】
2006048665.tif 000013
【図１１】
2006048665.tif 000014
【図１２】
2006048665.tif 000015
【図１３】
2006048665.tif 000016
【図１４】
2006048665.tif 000017
【図１５】
2006048665.tif 000018
【図１６】
2006048665.tif 000019
【図１７】
2006048665.tif 000020
【図１８】
2006048665.tif 000021
【図１９】
2006048665.tif 000022